【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
入力された表示データに応じて液晶パネルを駆動可能な表示駆動回路であって、
初期色域頂点座標を記憶可能な初期色域頂点座標記憶部と、
ユーザ目標色域頂点座標を記憶可能なユーザ目標色域頂点座標記憶部と、
上記初期色域頂点座標と上記ユーザ目標色域頂点座標とに基づいて彩度データの伸張係数を決定する彩度伸張係数決定部と、
上記彩度伸張係数に基づいて上記表示データの彩度を伸張する伸張部と、を含むことを特徴とする表示駆動回路。
【請求項２】
上記彩度伸張係数決定部は、上記初期色域頂点座標から計算される色域と、上記ユーザ目標色域頂点座標から計算される色域との面積比に基づいて上記伸張係数を算出する請求項１記載の表示駆動回路。
【請求項３】
上記彩度伸張係数決定部は、上記初期色域頂点座標から計算される色域と、上記ユーザ目標色域頂点座標から計算される色域との面積比の平方根とることで上記伸張係数を算出する請求項１記載の表示駆動回路。
【請求項４】
上記表示駆動回路の外部から上記初期色域頂点座標記憶部及び上記ユーザ目標色域頂点座標記憶部への情報設定を可能とするインタフェースを含む請求項１記載の表示駆動回路。
【請求項５】
入力された表示データに応じて液晶パネルを駆動可能な表示駆動回路であって、
初期色域頂点座標を記憶可能な初期色域頂点座標記憶部と、
ユーザ目標色域頂点座標を記憶可能なユーザ目標色域頂点座標記憶部と、
上記初期色域頂点座標と上記ユーザ目標色域頂点座標とに基づいて、Ｒ，Ｇ，Ｂそれぞれの彩度伸張係数を決定するＲ，Ｇ，Ｂ彩度伸張係数決定部と、
上記Ｒ，Ｇ，Ｂそれぞれの彩度伸張係数の補間演算を行う彩度伸張係数補間部と、
上記彩度伸張係数補間部で補間された彩度伸張係数に基づいて、上記表示データの彩度を伸張する伸張部と、を含むことを特徴とする表示駆動回路。
【請求項６】
上記Ｒ，Ｇ，Ｂ彩度伸張係数決定部は、上記初期色域頂点座標及び上記ユーザ目標色域頂点座標において白色座標からの距離をＲ，Ｇ，Ｂ各値について求め、上記初期色域頂点座標において白色座標からの距離と上記ユーザ目標色域頂点座標において白色座標からの距離の比からＲ，Ｇ，Ｂそれぞれの彩度伸張係数を計算する請求項５記載の表示駆動回路。
【請求項７】
上記彩度伸張係数補間部は、色相データに基づいて上記Ｒ，Ｇ，Ｂ彩度伸張係数を直線補間する請求項６記載の表示駆動回路。
【請求項８】
上記表示駆動回路の外部から上記初期色域頂点座標記憶部及び上記ユーザ目標色域頂点座標記憶部への情報設定を可能とするインタフェースを含む請求項５記載の表示駆動回路。
【請求項９】
入力された表示データに応じて液晶パネルを駆動可能な表示駆動回路であって、
Ｒ，Ｇ，Ｂそれぞれの彩度伸張係数を記憶可能なＲ，Ｇ，Ｂ彩度伸張係数記憶部と、
上記Ｒ，Ｇ，Ｂそれぞれの彩度伸張係数の補間演算を行う彩度伸張係数補間部と、
上記彩度伸張係数補間部で補間された彩度伸張係数に基づいて、上記表示データの彩度を伸張する伸張部と、を含むことを特徴とする表示駆動回路。
【請求項１０】
上記彩度伸張係数補間部は、色相データに基づいて上記Ｒ，Ｇ，Ｂそれぞれの彩度伸張係数を直線補間する請求項９載の表示駆動回路。
【請求項１１】
上記表示駆動回路の外部から上記Ｒ，Ｇ，Ｂ彩度伸張係数記憶部への情報設定を可能とするインタフェースを含む請求項９載の表示駆動回路。
【手続補正２】
【補正対象書類名】明細書
【補正対象項目名】００５４
【補正方法】変更
【補正の内容】
【００５４】
彩度データ（Ｓ）２０３は、彩度伸張乗算器２０６にて、彩度伸張係数（ｋ）２０９との乗算され、伸張後彩度データ（Ｓ’）２０８として、合成回路２０７に出力される。彩度伸張係数（ｋ）２０９は、彩度伸張係数演算回路２１０で、初期色域頂点座標レジスタ２１１とユーザ目標色域頂点座標レジスタ２１２の値から演算される。合成回路２０７は、入力されたＨＳＶ値をＲ，Ｇ，Ｂ値に変換後に、伸張後表示データ２１３として、図１に示されるグラフィックＲＡＭ１０５に出力する。
【手続補正３】
【補正対象書類名】明細書
【補正対象項目名】００５６
【補正方法】変更
【補正の内容】
【００５６】
３０１は初期色域、３０２はユーザ目標色域を表している。３０１の初期色域は、表示データを処理することなく出力した場合の色域であり、３０２のユーザ目標色域は、ユーザが目標とする色域である。これらの色域は図３に示されるように、Ｒ，Ｇ，Ｂの値を頂点とした三角形で表され、頂点の座標から面積を算出することができる。３０１の初期色域のＲ，Ｇ，Ｂ値における座標を初期色域頂点座標レジスタ２１１の設定値とし、３０２のユーザ目標色域のＲ，Ｇ，Ｂ値における座標をユーザ目標色域頂点座標レジスタ２１２の設定値とする。
【手続補正４】
【補正対象書類名】明細書
【補正対象項目名】００５８
【補正方法】変更
【補正の内容】
【００５８】
まず、ステップ４０１では、初期色域頂点座標レジスタ２１１とユーザ目標色域頂点座標レジスタ２１２に格納されている座標値より、それぞれの色域面積を算出する。次にステップ４０２では、彩度伸張係数（ｋ）２０９を前述４０１で算出した面積を基に数９に示される式によって算出する。
【手続補正５】
【補正対象書類名】明細書
【補正対象項目名】００６５
【補正方法】変更
【補正の内容】
【００６５】
Ｒ，Ｇ，Ｂ彩度伸張係数演算回路５０１は、初期色域頂点座標レジスタ２１１、ユーザ目標色域頂点座標レジスタ２１２から後述する方法を用いて、白の座標からＲ，Ｇ，Ｂの各初期色域頂点座標までの距離と、白の座標からＲ，Ｇ，Ｂの各ユーザ目標色域頂点座標までの距離の比からＲ，Ｇ，Ｂ彩度伸張係数（ｋＲ,ｋＧ,ｋＢ）５０２を計算する。このＲ，Ｇ，Ｂ彩度伸張係数５０２は、Ｒ（Ｈ＝０°）、Ｇ（Ｈ＝１２０°）、Ｂ（Ｈ＝２４０°）時における、彩度伸張係数ｋを計算したものである。
【手続補正６】
【補正対象書類名】明細書
【補正対象項目名】００６６
【補正方法】変更
【補正の内容】
【００６６】
彩度伸張補間回路５０３は、Ｒ，Ｇ，Ｂ彩度伸張係数演算回路５０１にて算出されたＲ，Ｇ，Ｂ彩度伸張係数５０２を色相について直線補間し、各色相における彩度伸張係数ｋを算出し、彩度伸張係数演算器２０６に出力する。算出方法は後述する。
【手続補正７】
【補正対象書類名】明細書
【補正対象項目名】００８３
【補正方法】変更
【補正の内容】
【００８３】
Ｒ，Ｇ，Ｂ彩度伸張レジスタ１００１の値として、例えば図６に示されるフローチャートに従って算出されたＲ，Ｇ，Ｂ彩度伸張係数が設定される。算出されたＲ，Ｇ，Ｂ彩度伸張係数は、図示されない不揮発性メモリに格納され、液晶表示装置１００に電源が投入される毎に、システムインタフェース１０２を介してＲ，Ｇ，Ｂ彩度伸張係数レジスタ１００１に転送されるように構成することができる。これにより、初期色域頂点座標レジスタ２１１と、ユーザ目標色域頂点座標レジスタ２１２に代えてＲ，Ｇ，Ｂ彩度伸張レジスタ１００１を使用することで、実施の形態２の場合と同一の効果を得ることができる。また、本例の場合、初期色域頂点座標レジスタ２１１、ユーザ目標色域頂点座標レジスタ２１２、及びＲ，Ｇ，Ｂ彩度伸張係数演算回路５０１が不要とされるため、その分、ハードウェア構成の簡略化を図ることができる。
【手続補正８】
【補正対象書類名】明細書
【補正対象項目名】００８８
【補正方法】変更
【補正の内容】
【００８８】
１００  液晶表示装置
１０１  液晶ドライバ
１０２  システムインターフェース
１０３  コントロールレジスタ
１０４  彩度伸張部
１０５  グラフィックＲＡＭ
１０６  タイミング発生回路
１０７  階調電圧生成回路
１０８  ソース線駆動回路
１０９  液晶駆動レベル発生回路
１１０  液晶ソース信号
１１１  液晶ゲート信号、コモン信号
１１２  バックライト電源線
１１３  制御プロセッサ
１１４  液晶パネル
１１５  バックライトモジュール
２０１  抽出回路
２０２  表示データ
２０３  彩度データ（Ｓ）
２０４  色相データ（Ｈ）
２０５  明度データ（Ｖ）
２０６  彩度伸張乗算器
２０７  合成回路
２０８  伸張後彩度データ（Ｓ'）
２０９  彩度伸張係数（ｋ）
２１０  彩度伸張演算回路
２１１  初期色域頂点座標レジスタ
２１２  ユーザ目標色域頂点座標レジスタ
２１３  伸張後表示データ
３０１  初期色域
３０２  ユーザ目標色域
５０１  Ｒ，Ｇ，Ｂ彩度伸張係数演算回路
５０２  Ｒ，Ｇ，Ｂ彩度伸張係数（ｋＲ,ｋＧ,ｋＢ）
５０３  彩度伸張補間回路
７０１  色相データ除算器
７０２  区間判定値（ｈｉ）
７０３  直線補間係数（ｈｆ）
７０４  Ｒ，Ｇ，Ｂ彩度伸張係数テーブル
７０５  色相始点（ａ）
７０６  色相終点（ｂ）
７０７  直線補間演算器
１００１  Ｒ，Ｇ，Ｂ彩度伸張係数レジスタ